(57)【要約】【課題】比較的簡易な構成の光学系をもって二次元走査素子による網膜上への走査を行う。【解決手段】光源１から出射される光を、二次元走査素子３(3a1,3a2,3a3)を用いて二方向に走査して観察者眼５の網膜上に二次元画像を生成する網膜走査装置において、この二次元走査素子３は、主走査方向においてはその角度のみが変化し、副走査方向ａにおいては二次元走査素子３の位置が矢印Ａ２で示すように直線的に変化すると共に、その位置に対応して矢印Ａ１で示すように角度が変化することによって、これら主走査方向及び副走査方向に二次元的に走査される構成とする。【選択図】図１
2007304442.tif 000002
【特許請求の範囲】
【請求項１】
光源から出射される光を、二次元走査素子を用いて二方向に走査して観察者眼の網膜上に二次元画像を生成する網膜走査装置において、
前記二次元走査素子は、主走査方向においては前記二次元走査素子の角度のみが変化し、副走査方向においては前記二次元走査素子の位置が直線的に変化すると共に、その位置に対応して角度が変化することによって、前記主走査方向及び副走査方向に二次元的に走査される構成である
ことを特徴とする網膜走査装置。
【請求項２】
前記光源が発光ダイオードである
ことを特徴とする請求項１記載の網膜走査装置。
【請求項３】
前記光源と前記二次元走査素子との間に反射光学素子が設けられて成る
ことを特徴とする請求項１記載の網膜走査装置。
【請求項４】
前記反射素子にコリメータ機能を有する
ことを特徴とする請求項３記載の網膜走査装置。
【請求項５】
前記光源と前記観察者眼との間に収差補正用光学素子が設けられて成る
ことを特徴とする請求項１記載の網膜走査装置。
【請求項６】
前記収差補正用光学素子が、前記二次元走査素子の出射側に設けられて成る
ことを特徴とする請求項５記載の網膜走査装置。
【発明の詳細な説明】
【技術分野】
【０００１】
本発明は、光源からの光を二次元走査素子によって二方向に走査して観察者眼の網膜上に二次元画像を生成する網膜走査装置に関する。
【背景技術】
【０００２】
画像情報、文字情報等の信号に対応して光源を変調するとともに、スキャナを介して画像を観察者眼の網膜上に走査照射して二次元画像を表示する網膜走査装置が提案されている。このような用途に適した小型のスキャナとして、近年シリコンなどの半導体基板に、半導体製造技術を適用して形成した微小電気機械素子いわゆるＭＥＭＳ（Micro Electro Mechanical System）型の二次元走査素子が提案されている。
このＭＥＭＳ型の二次元走査素子は、ミラー部がサスペンション機能を有する揺動軸、いわゆるトーションバー（捩り棒）で揺動可能に基板上に支持され、ミラー部とその周辺部に設けた電極対による静電力、又はコイルと磁石による電磁力を発生させて、このミラー部を揺動運動させる構造のものである（例えば特許文献１参照。）。
【０００３】
このような二次元走査素子を用いて構成した網膜走査装置の一例の概略構成図を図７に示す。図７に示すように、光源１０１から出射された光束は、まず、主に光束の形状を整えるコリメート効果等を有する光学系１０２を通過して二次元走査素子１０３に入射されて、二次元走査素子１０３によって二次元走査される。二次元走査素子１０３の角度変化を矢印ｒで模式的に示す。そして光学系１０４を介して瞳孔１０５に入射され、観察者眼１０６の網膜上に走査される。この際、光学系１０４には、二次元走査素子１０３によって走査された光束を所望の角度で瞳孔１０５に向かわせる作用が求められる。もちろん、光束を屈曲させた際に発生する光線収差の補正も必要であり、光束はコリメートされた状態で瞳孔１０５に入射させなければならない。
【０００４】
光束を二次元走査素子に斜めに入射させる場合は、光学系が非回転対称になるため、自由曲面などの非回転対称な光学面を用いる例が提案されている（例えば特許文献２参照。）。
また、ビームスプリッタを用いて光束を二次元走査素子に垂直に入射させる方法も提案されている（例えば特許文献３参照。）。
【特許文献１】特開２００２−３１１３７６号公報
【特許文献２】特開２００１−４９５５号公報
【特許文献３】特開２００４−１３８８２２号公報
【発明の開示】
【発明が解決しようとする課題】
【０００５】
しかしながら、上記特許文献２に記載されているような自由曲面などの非回転対称な光学面を用いる構成とする場合は、光学面の製作が難しいことが大きな問題となる。また例えば回転対称な光学面を偏芯配置させる場合は、高精度に各光学部品を配置することが難しく、すなわち光学系の調整作業が煩雑となり、また装置が大型化するという問題がある。
更に、上記特許文献３による場合は、十分な視野角を確保できる走査角度に対して十分な角度特性をもつビームスプリッタを製造することが難しく、また光学部品の増加によるコスト高や装置の大型化が問題となる。
【０００６】
以上の問題に鑑みて、本発明は、比較的簡易な構成の光学系をもって二次元走査素子による網膜上への走査を行うことが可能な網膜走査装置を提供することを目的とする。
【課題を解決するための手段】
【０００７】
上記課題を解決するため、本発明は、光源から出射される光を、二次元走査素子を用いて二方向に走査して観察者眼の網膜上に二次元画像を生成する網膜走査装置において、この二次元走査素子は、主走査方向においてはその角度のみが変化し、副走査方向においては二次元走査素子の位置が直線的に変化すると共に、その位置に対応して角度が変化することによって、これら主走査方向及び副走査方向に二次元的に走査される構成とする。
【０００８】
上述の本発明によれば、二次元走査素子はその主方向において角度のみが変化し、副走査方向においては、位置が直線的に変化すると共に、その位置に対応して角度が変化する構成とするものである。このように、副走査方向において、二次元走査素子そのものを直線的に移動させる構成とすることから、二次元走査素子のミラー部の面積の増大化を図ることなく、観察者眼の網膜上に所望の視野角をもって副走査方向に走査することが可能となる。したがって、所望の視野角の光束を、比較的簡易な構成の光学系をもって網膜上に走査することが可能となる。
【発明の効果】
【０００９】
本発明によれば、比較的簡易な構成の光学系をもって、二次元走査素子による網膜上への走査を行うことができる。
【発明を実施するための最良の形態】
【００１０】
以下本発明を実施するための最良の形態の例を説明するが、本発明は以下の例に限定されるものではない。
〔１〕第１の実施形態例
図１は、本発明の網膜走査装置の一実施形態例における概略構成図を図１に示す。
光源１から出射された光Ｌｉは、二次元走査素子（３ａ１、３ａ２、３ａ３）により走査され、観察者眼５の瞳孔に入射する。後述するように、二次元走査素子３に入射する前後の光路において、屈折力を有する光学素子を通過してもよい。なお、光源１として例えば発光ダイオードを用いる場合は、この発光ダイオードを駆動する駆動電流が、網膜上に表示する例えば画像信号に対応して変調されることによって、網膜上に矢印ａで示すように走査して所望の二次元画像を形成することができる。
図１においては観察者眼５の左右方向に沿う方向を矢印ａ、上下方向に沿う方向を矢印ｂで示す。後述するように、矢印ａで示す左右方向を二次元走査素子３による副走査方向とし、矢印ｂで示す上下方向を主走査方向とすることが望ましい。
【００１１】
この二次元走査素子３は、水平面（観察者眼５の前後左右方向に沿う面）内を所定の方向、図１に示す例においては矢印Ａ２で示すように観察者眼５からみて左側手前から右側奥に達する斜め方向に直線的に往復移動する機能を有する。この往復移動する方向は図示の例に限定されるものではなく、例えば左側奥から右側手前に達する斜め方向などでもよい。図１においては、この直線方向に移動する二次元走査素子３を光源側からそれぞれ３ａ１、３ａ２、３ａ３として代表的に示す。またこの二次元走査素子３の移動方向は、光源１から出射される光束がこの二次元走査素子３に入射する方向と同一とする。
この二次元走査素子３には例えばＭＥＭＳ型構成のミラー部が装着されており、このミラー部の回転軸は図１において矢印Ａ１で示すように観察者眼５の前後左右方向に沿う水平面内において回転可能とされる。なお、この二次元走査素子３は観察者眼５の上下方向に対応する矢印ｂで示す方向に揺動する機能も有する構成とする。
【００１２】
次に、この二次元走査素子３の副走査方向の動作、すなわち矢印Ａ１で示す回転及び矢印Ａ２で示す直線移動の対応関係について説明する。
図１に示すように、この二次元走査素子３の直線方向の移動軸をｚ軸とし、二次元走査素子３が観察者眼５の正面に位置するとき（二次元走査素子３ａ２の場合）の座標をｚ＝０とする。二次元走査素子３のミラー部の法線とｚ軸のなす角度をθとし、ｚ＝０の位置においてこの二次元走査素子３のミラー部の法線ｖｍとｚ軸のなす角度をθｚとする。この位置でのｚ軸と観察者眼５から正面位置（ｚ＝０の位置）に向かう線とのなす角度は２θｚとなる。二次元走査素子３が観察者眼５の正面にある時の瞳孔から二次元走査素子３までの距離をｄとし、光束が瞳孔５ｐに入射する角度（視野角）をθｆｏｖとする。
以上の定義により、視野角をθｆｏｖとしたときの二次元走査素子３の位置ｚおよび角度θを、下記の式（１）及び（２）で示すように移動及び回転させる。なお、θ及びθｆｏｖの＋方向を矢印（＋）として示す。
【００１３】
ｚ＝｛ｓｉｎθｆｏｖ／ｓｉｎ（２θｚ−θｆｏｖ）｝×ｄ・・・（１）
θ＝θｚ−θｆｏｖ／２    ・・・（２）
【００１４】
このような走査方式を用いることにより、ｚ軸方向の往復移動と回転によって、矢印ａで示す副走査方向における視野角に対応した走査を行うことができる。したがって、副走査方向すなわち観察者眼の左右方向に視野角を大きくとった場合でも走査ミラーの面積を左右方向に大きくとる必要がない。つまり、視野角の広い左右方向を副走査方向として、この走査方式を用いることが有効であると考えられる。
【００１５】
上述したように、この二次元走査素子３により走査される画像は、上下方向を主走査方向、左右方向を副走査方向とすることが望ましい。
主走査方向においては、一般に、走査周波数が数１０ｋＨｚ程度（例えば４８０ライン×６０フレーム／秒＝２８．８ｋＨｚ）となり非常に高速な動作が求められるため、共振によって走査を行うＭＥＭＳ型構成のミラーを用いることが好ましい。
副走査方向においては、一般に数１０Ｈｚ程度の比較的低い走査周波数でよいため、走査時に走査素子の角度および位置も変化する走査素子の製造は十分可能である。
【００１６】
これに対し、比較例による網膜走査装置の一例をその概略構成図を示す図２を参照して説明する。図２に示すように、光源（図示せず）から出射された後コリメートされた入射光Ｌｉ´を通常の構成による二次元走査素子１３により網膜走査を行う場合、所望の視野角を確保するためには光束の幅Ｆｄおよび二次元走査素子１３の面積、すなわち視野角方向の幅Ｌｍ´を大とすることが必要であり、装置としてのサイズが大きくなる。更にこの場合は、常に光束の一部しか網膜走査されないため、明るさの点で不利となる。
これに対し、本発明の網膜走査装置によれば、光束及び二次元走査素子の面積を比較的大とすることなく、十分な視野角を確保することができるとともに、常に光束の略全てが網膜走査されることとなるため、十分な明るさを保持できることとなる。
【００１７】
図３Ａは上述の第１の実施形態例に適用可能な二次元走査素子３の一例の概略斜視構成図である。矢印Ａ１で示す回転方向の角度変化と矢印Ａ２で示す直線方向の往復運動によって副走査方向の走査、また矢印Ｂで示す回転方向の角度変化で主走査方向の走査を行う。
そしてこのような二次元走査素子３を用いて、図３Ｂに示すように、観察者眼５の矢印ａで示す左右方向すなわちこの場合副走査方向においては、二次元走査素子３ａ１、３ａ２、３ａ３で示すように矢印Ａ２で示す往復直線運動を行うとともに、この直線移動による位置の変化に対応した矢印Ａ１で示す回転方向の角度変化によって、それぞれ反射光束Ｌｒａ１、Ｌｒａ２、Ｌｒａ３を観察者眼５の瞳孔５ｐに向かわせ、所望の視野角をもって網膜上に画像光を走査する。
一方、図３Ｃに示すように、観察者眼５の矢印ｂで示す上下方向すなわちこの場合主走査方向においては、二次元走査素子３ｂ１、３ｂ２、３ｂ３で示すように、矢印Ｂで示す回転方向の角度変化によって、それぞれ反射光束Ｌｒｂ１、Ｌｒｂ２、Ｌｒｂ３を観察者眼５の瞳孔に向かわせ、所望の視野角をもって網膜上に画像光を走査する。
【００１８】
図４Ａ及びＢに二次元走査素子のより具体的な各例の概略平面構成図を示す。各例共に、例えばシリコン基板等の半導体基板上に半導体製造技術の適用により形成可能なＭＥＭＳ型構成とし得る。図４Ａに示す二次元走査素子３においては、中央部にミラー部３０が揺動軸３１及び３２によって枠体３４に揺動可能に保持されて成り、この揺動軸３１及び３２を回転中心軸Ｃｂとする矢印Ｂで示す回転方向の微小揺動を数１０ｋＨｚ程度の比較的高速に行うことが可能な構成となっている。このような高速揺動動作は、例えばコイル型配線パターン及び磁石を備えることによる電磁力駆動型のＭＥＭＳと同様の構成とすることが可能である。
一方、この枠体３４自体を、支持体を兼ねる回転軸３３を回転中心軸Ｃａとする矢印Ａで示す回転方向に回転移動する構成とされる。この回転は数１０Ｈｚ程度の比較的低速の動作とされ、図示しない直線往復動作機構に連動して行われる構成とする。このような比較的低速の回転動作は、例えば前述した一対の配線電極を有する構成とした静電駆動型のＭＥＭＳと同様の構成とすることができる。
図４Ａにおいては、ミラー部３０を長方形とした例を示すが、図４Ｂに示すように楕円形としても良い。図４Ｂにおいて、図４Ａと対応する部分には同一符号を付して重複説明を省略する。
【００１９】
このような構成とすることによって、上述したように、二次元走査素子３のミラー部３０の面積を増大化することなく、所望の視野角をもって網膜上への走査を行うことが可能となる。この場合自由曲面を有するプリズムや特殊な構造のビームスプリッタなど、比較的高価な光学素子を用いる必要がなく、比較的簡易な構成の光学系をもって容易に所望の視野角の網膜走査を達成することができる。また、この場合は、図２に示す例と比較すると、所望の視野角を確保するために光束を大きく、またミラー部の面積を大とする必要がなく、更に、光束の略全てが常に網膜走査されることとなるため、十分な明るさを保持できるという利点を有する。
【００２０】
〔２〕第２の実施形態例
次に、図５の概略構成図を参照して本発明の第２の実施形態例に係る網膜走査装置について説明する。この例においては、図５に示すように、光源１から出射された光が一旦反射光学素子２により反射されて二次元走査素子３に走査され、観察者眼５の瞳孔に入射される構成とするものである。その他の構成は前述の第１の実施形態例と同様の構成とすることができる。このように、反射光学素子２を光源１と二次元走査素子３との間に配置することによって、光束を折りたたむことによる省スペース、すなわち装置の小型化を図ることができる。図５において、図１と対応する部分には同一符号を付して重複説明を省略する。
この例において、反射光学素子２として屈折力を有する反射ミラーを用いることもでき、例えばコリメート機能を兼ねる構成としてもよい。
また、反射光学素子２に、光線収差を補正する機能をもたせてもよい。このような機能を有する反射光学素子２を用いることにより、上述の光束を折りたたむことによる省スペース化の効果に加え、色収差の発生を抑制できるという効果が得られる。最も構成が簡易で、かつ、十分な性能を達成できる構成と考えられる。
なお、反射光学素子２の代わりに通常のレンズ等を用いて光源から出射される光を二次元走査素子に入射する構成とすることも可能である。
【００２１】
〔３〕第３の実施形態例
次に、図７の概略構成図を参照して本発明の第３の実施形態例に係る網膜走査装置について説明する。図７に示す例においては、光源１から出射された光束は、例えば屈折力を有する反射ミラーより成る反射光学素子２によって反射され、二次元走査素子３に入射して走査され、さらに屈折力を有するレンズ等の収差補正用光学素子４を通過して、観察者眼５の瞳孔５ｐに入射する。
この場合、収差補正用光学素子４は、走査によって発生する歪を補正する機能を有し、そのために二次元走査素子３の出射側、この場合観察者眼５との間に配置される。光源１と二次元走査素子３との間に配置する反射光学素子２との協働により、光線収差と歪を同時に補正する構成とすることができる。
一般に、屈折力を有する光学素子を多く配置することにより、高性能な装置を達成することができるため、スペースが許す限りレンズや反射面を配置し、光線収差と歪を補正することは高性能化に対して有効である。
【００２２】
以上説明したように、本発明の網膜走査装置によれば、自由曲面プリズムなどの製作難度やコストが高い光学部品や、偏芯配置などの光学的組み立て作業が複雑で困難となる構成とすることなく、このような高価な光学部品を用いる従来の網膜走査装置と同等、あるいはそれ以上の視野角を確保することができる。
本発明による網膜走査装置は、部品および組立工数の削減が見込まれるため、装置全体の小型化・軽量化及びコストの低減化を図ることが可能である。
【００２３】
なお、本発明は上述の各実施形態例に示す構成に限定されるものではなく、二次元走査素子の材料構成やその他の光学部品の種類や配置など、本発明構成を逸脱しない範囲において、種々の変形、変更が可能であることはいうまでもない。
【図面の簡単な説明】
【００２４】
【図１】本発明の実施形態例に係る網膜走査装置の概略構成図である。
【図２】比較例による網膜走査装置の概略構成図である。
【図３】Ａは本発明の実施形態例に係る網膜走査装置に用いる二次元走査素子の一例の概略斜視構成図である。Ｂ及びＣは本発明の実施形態例に係る網膜走査装置の要部の副走査方向及び主走査方向の動作態様を示す概略構成図である。
【図４】Ａ及びＢは本発明の実施形態例に係る網膜走査装置の二次元走査素子の概略平面構成図である。
【図５】本発明の実施形態例に係る網膜走査装置の概略構成図である。
【図６】本発明の実施形態例に係る網膜走査装置の概略構成図である。
【図７】従来の網膜走査装置の一例の概略構成図である。
【符号の説明】
【００２５】
１．光源、２．反射光学素子、３．二次元走査素子、４．収差補正用光学素子、５．観察者眼、５ｐ．瞳孔、１０．網膜走査装置、３０．ミラー部、３１．揺動軸、３２．揺動軸、３３．回転軸、３４．枠体
【図１】
2007304442.tif 000003
【図２】
2007304442.tif 000004
【図３】
2007304442.tif 000005
【図４】
2007304442.tif 000006
【図５】
2007304442.tif 000007
【図６】
2007304442.tif 000008
【図７】
2007304442.tif 000009